(57)【要約】【課題】セキュリティ情報の処理手段と情報中継器としてのガス器具監視装置を提供する。【解決手段】流量計測手段１７と、ガス遮断弁２ｃと、流量計測手段１７の計測結果に基づく各種情報を処理する制御回路１０ａと、複数の相手先と情報の送受信を行う無線モジュール１１と、相手先に応じて通信周波数帯を切り替える通信切替手段１０ｃとを備え、無線モジュール１１は、流量計測手段１７を構成する制御回路基板１０と一体的に構成してガスメータ２内に収納し、少なくとも基地局１４との通信周波数帯とホームセキュリティ装置との通信周波数帯を有し、セキュリティ情報として不在信号を受信したとき漏洩検査を実施する不在信号確認手段１０ｑと漏洩検査実行手段１０ｒを備えた構成としてある。【選択図】図９
2008134780.tif 000002
【特許請求の範囲】
【請求項１】
ガスメータを経由した後の配管に接続される複数のガス器具の使用状況を監視するとともに、複数の相手先と電話回線以外の通信回線を用いて直接送受信が可能な無線モジュールを搭載したガス器具監視装置であって、
ガスメータには、ガス流量を計測する流量計測手段と、異常時にガス流路を遮断するガス遮断弁と、前記流量計測手段の計測結果に基づき所定の処理を行って流量情報として出力する制御回路と、ガス流路内の圧力を検出する圧力検出手段と、前記遮断弁が遮断状態にあるときの前記圧力検出手段の出力よりガス漏洩状態を判断する漏洩判断手段と、複数の相手先と情報の送受信を行うメータ無線モジュールと、相手先に応じて通信周波数帯を切り替える通信切替手段と、駆動用の電池電源とを備え、
前記メータ無線モジュールは、前記制御回路と一体的に構成して前記ガスメータ内に収納し、少なくとも基地局との通信周波数帯とホームセキュリティ装置との通信周波数帯を有し、
前記ホームセキュリティ装置には各種警報器から入力される信号及び外出時の不在信号をセキュリティ情報としてガスメータに送信するセキュリティ無線モジュールを備え、
前記制御回路には、前記基地局から送信される漏洩検査指令を受信すると前記セキュリティ無線モジュールから送信される不在信号を確認する不在信号確認手段を有し、前記不在信号確認手段で不在信号が確認されたとき所定の漏洩確認動作を実施するようにしたガス器具監視装置。
【請求項２】
メータ無線モジュールは、基地局との通信用無線モジュールとホームセキュリティ装置との通信用無線モジュールとは異なる通信周波数帯を用いて通信を行い、
ホームセキュリティ装置との通信用無線モジュールは特定小電力無線通信周波数帯を有するエリア通信無線モジュールとし、基地局との通信用無線モジュールは広域通信周波数帯を有する広域通信無線モジュールとした請求項１記載のガス器具監視装置。
【請求項３】
漏洩確認動作は、基地局からの漏洩検査指令で不在信号を確認すると流量計測手段で流量の有無を確認し、流量なしの場合にガス遮断弁を閉じて圧力検出手段で検出されるガス圧変化が所定範囲内にあるか否かで漏洩状態を確認し、流量ありの場合は流量なしの状態が確認されるまで待機状態とする請求項１または２記載のガス器具監視装置。
【請求項４】
エリア通信無線モジュールは、ホームセキュリティ装置との通信以外に特定の端末装置との通信も可能とし、漏洩確認情報が発信されたとき特定の端末装置にも送信するようにした請求項１〜３のいずれか１項記載のガス器具監視装置。
【請求項５】
漏洩確認動作が実施されたとき、経過情報を残時間あるいは完了予定時刻等で表示端末装置に表示するようにした請求項１〜４のいずれか１項記載のガス器具監視装置。
【請求項６】
漏洩確認動作が実施され流量ありが確認されたとき、流量なし状態への待機状態であることを表示端末装置に表示するようにした請求項１〜５のいずれか１項記載のガス器具監視装置。
【請求項７】
漏洩確認動作の実施中に急激なガス圧変化が確認されたとき、遮断弁を開状態に復帰して漏洩確認動作を中断すると共に、中断状態であることを表示端末装置に表示するようにした請求項１〜６のいずれか１項記載のガス遮断装置。
【請求項８】
漏洩検査結果を基地局に通報し復帰許可指令を受信すると、遮断弁を開状態に復帰してガスの供給動作を可能にすると共に、漏洩検査結果で問題がなく正常に復帰したことを表示端末装置に表示するようにした請求項１〜７のいずれか１項記載のガス遮断装置。
【請求項９】
漏洩検査結果を基地局に通報し復帰禁止指令を受信すると、遮断弁を遮断状態に保持してガスの供給動作を不可にすると共に、漏洩検査結果で問題が発生し修理が必要であることを表示端末装置に表示するようにした請求項１〜８のいずれか１項記載のガス遮断装置。
【請求項１０】
表示端末装置はテレビあるいは携帯電話とし、ガス遮断装置に内蔵の無線モジュールと同一の通信周波数帯を有する無線モジュールを内蔵あるいは一体的に取り付けた請求項１〜９のいずれか１項記載のガス遮断装置。
【発明の詳細な説明】
【技術分野】
【０００１】
本発明は、ガスメータを経由した後のガス配管に接続される複数のガス器具の使用状況を監視するガス器具監視装置に関し、特に、ホームセキュリティ装置からの不在信号を受信したのち、所定の漏洩確認処理モードを実行するガス器具監視装置に関するものである。
【背景技術】
【０００２】
従来、この種のガス遮断装置としては、通過ガス量に対応した流量信号を出力する流量測定部と、装置から下流側のガス通路を遮断開放する遮断部と、流量信号を監視し特定調査期間の間に流量信号が存在しない無流量時間帯を検出して保持し以後無流量時間帯になると圧力検査要求信号を出力する流量無し学習部と、無流量時間帯でかつ流量信号を受信しないときに遮断部へガス通路を遮断指示し圧力の変動を検出する圧力検知部に遮断したガス通路が所定時間内に所定値以上の圧力低下をしていないかを検知指示する圧力検査部とを備えたガス遮断装置が開示されている（例えば、特許文献１参照）。
【０００３】
また、供給側ガス配管と需要側ガス配管との間に設けられて、需要側ガス設備におけるガス漏れを検知するガス漏れ検知装置であって、ガスの流量を検出する検出手段と、需要家がガス設備を使用する可能性が低いことを判断するガス使用可能性判断手段と、ガスを遮断する自動開閉可能な遮断弁と、この遮断弁の需要側の圧力を検出するガス圧検出手段と、ガス使用可能性判断手段より、ガス使用可能性が低いとの信号を入力されたときに、遮断弁を閉とし、その後所定時間ガス圧検出手段の検出ガス圧を監視し、この間にガス圧がある程度以上低下したことが検出された場合にガス漏れ有と判断してガス漏れ信号を発し、ガス圧の低下が検出されなかった場合は遮断弁を開とする制御手段と、この制御手段よりのガス漏れ信号を入力されて需要家に警報を発する警報指令手段とを具備したガス漏れ検知装置が開示されている（例えば、特許文献２参照）。
【０００４】
また、ガスが通過するガス流路と、このガス流路に設けられこのガス流路を遮断するためのガス遮断弁と、ガス流路に設けられこのガス流路を通過するガスの流量を計測するガス流量計と、ガス流路に設けられこのガス流路内のガスの圧力を検出するガス圧力検出センサと、所定時間以上ガス器具を使用していると判断できるガス流量がガス流量計によって計測されなかった場合にガス遮断弁を駆動してガス流路を遮断しガス圧力検出センサを用いてガスの圧力を監視しこのガスの圧力の変動量に基づいて微量のガス漏れの有無を検査する微量ガス漏れ検査手段と、この微量ガス漏れ検査手段による検査中にガス圧力検出センサによって検出されるガスの圧力の急激な変動を検出する圧力変動検出手段と、この圧力変動検出手段によってガスの圧力の急激な変動が検出されたときにガス器具が使用されたと判断して微量ガス漏れ検査手段による検査を中断しガス遮断弁を開ける検査中断手段を具備したガスメータが開示されている（例えば、特許文献３参照）。
【特許文献１】特開平８−１２１７６３号公報
【特許文献２】特開平８−５５０２号公報
【特許文献３】特開平７−７７４４７号公報
【発明の開示】
【発明が解決しようとする課題】
【０００５】
しかしながら、上記特許文献１に開示された従来の構成は、流量無時間帯を使用パターンの学習制御により求め、この流量無時間帯に所定のガス漏洩検査を実施するというものであって、その需要家の行動パターンを確認することなく、器具使用パターンから器具を使用しない期間を求めて自動的にガス遮断弁を駆動してガス漏れの検査を行うというもの
であり、通常の生活パターンと異なる器具使用が発生した場合とガス漏洩検査の時期が一致した場合にガスの供給ができなくなる場合があり、需要家からガス事業者に対しての問い合わせが発生する。
【０００６】
また、上記特許文献２に開示された従来の構成は、流量信号を一日の時間帯と関連付けて記憶し、一日の時間帯においてガス設備使用可能性が最も少ない時間帯を選定し、該時間帯に入ったことをもってガス使用可能性が低いと判断するガス使用可能性判断手段から検査開始信号が出力されたとき、所定のガス漏洩検査を実施するというものであって、本文献のものも特許文献１と同様、需要家の行動パターンを確認することなく、自動的に漏洩検査開始タイミングを判断して行うものであり、通常の生活パターンと異なる器具使用が発生した場合とガス漏洩検査の時期が一致した場合にガスの供給ができなくなる場合があり、需要家からガス事業者に対しての問い合わせが発生するという同種の課題を有している。
【０００７】
さらに、上記特許文献３に開示された従来の構成のものも、微量ガス漏れ検査手段から検査開始信号が出力されたとき、所定のガス漏洩検査を実施するというものであって、本文献のものも特許文献１、２と同様、需要家の行動パターンを確認することなく、ガスの使用状態を検出して自動的に漏洩検査開始タイミングを判断して行うものである。ただ、器具使用開始が検出されたとき遮断弁を開状態に復帰させる検査中断手段を備えているため、上記特許文献１、２の課題は解消することができるが、需要家の行動パターンを確認して、不在することが確認できたとき漏洩検査を行う手段を備えていない点においては共通しているものである。
【０００８】
本願発明は上記課題を解決するもので、ガス流量の計測機能及び遮断機能を有するガスメータにホームセキュリティ装置からのセキュリティ情報を受信する無線モジュールを内蔵し、セキュリティ情報として不在信号が確認できたとき漏洩検査を開始するようにしたもので、ガスの使用が発生しない環境を確実に検知することが可能となり、ガス漏れ自動検査における需要家とのトラブルを回避できるガス器具監視装置を提供するものである。
【課題を解決するための手段】
【０００９】
上記従来の課題を解決するために本発明のガス器具監視装置は、ガスメータを経由した後の配管に接続される複数のガス器具の使用状況を監視するとともに、複数の相手先と電話回線以外の通信回線を用いて直接送受信が可能な無線モジュールを搭載したガス器具監視装置であって、ガスメータには、ガス流量を計測する流量計測手段と、異常時にガス流路を遮断するガス遮断弁と、流量計測手段の計測結果に基づき所定の処理を行って流量情報として出力する制御回路と、ガス流路内の圧力を検出する圧力検出手段と、遮断弁が遮断状態にあるときの前記圧力検出手段の出力よりガス漏洩状態を判断する漏洩判断手段と、複数の相手先と情報の送受信を行うメータ無線モジュールと、相手先に応じて通信周波数帯を切り替える通信切替手段と、駆動用の電池電源とを備え、メータ無線モジュールは、制御回路と一体的に構成してガスメータ内に収納し、少なくとも基地局との通信周波数帯とホームセキュリティ装置との通信周波数帯を有し、ホームセキュリティ装置には各種警報器から入力される信号及び外出時の不在信号をセキュリティ情報としてガスメータに送信するセキュリティ無線モジュールを備え、制御回路には、基地局から送信される漏洩検査指令を受信するとセキュリティ無線モジュールから送信される不在信号を確認する不在信号確認手段を有し、不在信号確認手段で不在信号が確認されたとき所定の漏洩確認動作を実施するようにしたものである。
【００１０】
上記発明によれば、電話回線以外の無線通信手段を用いて通信チャンネルを選択して基地局との通信が可能な無線モジュールと、ホームセキュリティ装置からのセキュリティ情報を受信可能な無線モジュールとを、ガスメータ内の計測機能及び遮断機能を有した制御
回路基板に一体的に組み込んだ形態としているため、ガスメータを設置するだけで基地局と電話回線を用いることなく通信が可能となり、回線の混雑状況に影響を受けず基地局との通信をスムーズに行うことができ、ガスメータで取得した各種器具情報を基地局に迅速かつ的確に伝えることができ、また基地局からの指示に基づく各種処理を的確に実施することができる。
【００１１】
さらに、基地局から漏洩検査指令が送信されたとき、ホームセキュリティ装置からの不在信号を監視し不在信号を検知すると、ガスの使用が発生しない環境になったと判断して、所定の漏洩確認動作を実施するようにしたもので、需要家が外出等で不在のときにガス遮断弁の作動を伴う漏洩検査を実施するため、ガスの供給停止に関わるトラブルをなくすことができ、かつホームセキュリティ装置からのセキュリティ信号で自動的に漏洩検査を行うことができるため、ガス事業者が需要家宅に出向いて検査を行う必要がなくなり、検査の省力化も図ることができ、ガスメータ自体が情報を取得し、判断し、検査を実行するセルフチェック機能を有したガス器具監視装置を提供することができる。
【発明の効果】
【００１２】
本発明のガス器具監視装置は、ガスメータを設置するだけで基地局およびホームセキュリティ装置との通信が電話回線を用いることなく可能となり、回線の混雑状況に影響を受けず基地局からの各種指令及びガスメータからの各種情報をスムーズに伝達することができるとともに、家庭内で発生する各種セキュリティ情報をリアルタイムにかつ確実に取得することができる。
【００１３】
また、基地局から漏洩検査指令が送信されたとき、ホームセキュリティ装置からの不在信号を監視し不在信号を検知すると、ガスの使用が発生しない環境になったと判断して、所定の漏洩確認動作を実施するようにしたもので、需要家が外出等で不在のときにガス遮断弁の作動を伴う漏洩検査を実施するため、ガスの供給停止に関わるトラブルをなくすことができ、かつホームセキュリティ装置からのセキュリティ信号で自動的に漏洩検査を行うことができるため、ガス事業者が需要家宅に出向いて検査を行う必要がなくなり、検査の省力化も図ることができ、ガスメータ自体が情報を取得し、判断し、検査を実行するセルフチェック機能を有したガス器具監視装置を提供することができる。
【発明を実施するための最良の形態】
【００１４】
第１の発明は、ガスメータを経由した後の配管に接続される複数のガス器具の使用状況を監視するとともに、複数の相手先と電話回線以外の通信回線を用いて直接送受信が可能な無線モジュールを搭載したガス器具監視装置であって、ガスメータには、ガス流量を計測する流量計測手段と、異常時にガス流路を遮断するガス遮断弁と、前記流量計測手段の計測結果に基づき所定の処理を行って流量情報として出力する制御回路と、ガス流路内の圧力を検出する圧力検出手段と、前記遮断弁が遮断状態にあるときの前記圧力検出手段の出力よりガス漏洩状態を判断する漏洩判断手段と、複数の相手先と情報の送受信を行うメータ無線モジュールと、相手先に応じて通信周波数帯を切り替える通信切替手段と、駆動用の電池電源とを備え、前記メータ無線モジュールは、前記制御回路と一体的に構成して前記ガスメータ内に収納し、少なくとも基地局との通信周波数帯とホームセキュリティ装置との通信周波数帯を有し、前記ホームセキュリティ装置には各種警報器から入力される信号及び外出時の不在信号をセキュリティ情報としてガスメータに送信するセキュリティ無線モジュールを備え、前記制御回路には、前記基地局から送信される漏洩検査指令を受信すると前記セキュリティ無線モジュールから送信される不在信号を確認する不在信号確認手段を有し、前記不在信号確認手段で不在信号が確認されたとき所定の漏洩確認動作を実施するようにしたことを特徴とするものである。
【００１５】
そして、電話回線以外の無線通信手段を用いて通信チャンネルを選択して基地局との通
信が可能な無線モジュールと、ホームセキュリティ装置からのセキュリティ情報を受信可能な無線モジュールとを、ガスメータ内の計測機能及び遮断機能を有した制御回路基板に一体的に組み込んだ形態としているため、ガスメータを設置するだけで基地局と電話回線を用いることなく通信が可能となり、回線の混雑状況に影響を受けず基地局との通信をスムーズに行うことができ、ガスメータで取得した各種器具情報を基地局に迅速かつ的確に伝えることができ、また基地局からの指示に基づく各種処理を的確に実施することができる。
【００１６】
さらに、基地局から漏洩検査指令が送信されたとき、ホームセキュリティ装置からの不在信号を監視し不在信号を検知すると、ガスの使用が発生しない環境になったと判断して、所定の漏洩確認動作を実施するようにしたもので、需要家が外出等で不在のときにガス遮断弁の作動を伴う漏洩検査を実施するため、ガスの供給停止に関わるトラブルをなくすことができ、かつホームセキュリティ装置からのセキュリティ信号で自動的に漏洩検査を行うことができるため、ガス事業者が需要家宅に出向いて検査を行う必要がなくなり、検査の省力化も図ることができ、ガスメータ自体が情報を取得し、判断し、検査を実行するセルフチェック機能を有したガス器具監視装置を提供することができる。
【００１７】
第２の発明は、メータ無線モジュールは、基地局との通信用無線モジュールとホームセキュリティ装置との通信用無線モジュールとは異なる通信周波数帯を用いて通信を行い、ホームセキュリティ装置との通信用無線モジュールは特定小電力無線通信周波数帯を有するエリア通信無線モジュールとし、基地局との通信用無線モジュールは広域通信周波数帯を有する広域通信無線モジュールとしたことを特徴とするものである。
【００１８】
そして、基地局とキャリアダイレクトで通信可能な広域通信無線モジュールと、特定小電力無線通信周波数帯を用いて所定の範囲内で通信可能なエリア通信無線モジュールを制御回路基板と一体的に構成し、基地局と電話回線以外の通信回線で情報の伝達を行い、ホームセキュリティ装置と特定小電力無線通信周波数帯で情報の伝達を行うようにしているため、家庭内で発生するセキュリティ情報をリアルタイムにかつ確実に取得することができ、この取得情報に基づくメータ独自の流量計測機能及び遮断機能による自動漏洩検査や保安確保及び取得情報に応じた通報先への情報伝達を的確に行うことができ、流量計測機能及び遮断機能を有するガスメータを情報中継器として利用することで、家庭内における保安機能の充実や定期的な漏洩検査の実施を合理的に行うことができるとともに、セキュリティシステムの普及を促進することができる。
【００１９】
第３の発明は、漏洩確認動作は、基地局からの漏洩検査指令のあとホームセキュリティ装置からの不在信号を確認すると流量計測手段で流量の有無を確認し、流量なしの場合にガス遮断弁を閉じて圧力検出手段で検出されるガス圧変化が所定範囲内にあるか否かで漏洩状態を確認し、流量ありの場合は流量なしの状態が確認されるまで待機状態とすることを特徴とするものである。
【００２０】
そして、基地局からの漏洩検査指令を広域通信無線モジュールで受信したあと、ホームセキュリティ装置からの外出不在信号をエリア通信無線モジュールで受信すると、漏洩検査モードに入って流量なしの状態が検出されたとき漏洩確認動作を実施するようにしたもので、ガス事業者が実施する定期的な漏洩検査を、ガスメータに検査指令を送信するだけでガスメータ自体が検査可能な状況を判断するための情報を取得し、判断し、検査を実行するセルフチェック機能を有するものとなり、検査の省力化に大きく貢献することができるものである。
【００２１】
第４の発明は、エリア通信無線モジュールは、ホームセキュリティ装置との通信以外に特定の端末装置との通信も可能とし、漏洩確認情報が発信されたとき特定の端末装置にも
送信するようにしたことを特徴とするものである。
【００２２】
そして、ガスメータに内蔵したエリア通信無線モジュールを用いてテレビや携帯電話等の特定端末装置とも通信できるようにすることで、自動的に実施される漏洩確認検査の情報を送信することが可能となり、テレビや携帯電話の画面上に検査状況、検査結果を表示することができ、需要家への報知義務をこれまた自動的にかつリアルタイムに果たすことが可能となる。
【００２３】
第５の発明は、漏洩確認動作が実施されたとき、経過情報を残時間あるいは完了予定時刻等で表示端末装置に表示するようにしたことを特徴とするものである。
【００２４】
そして、漏洩検査が実施されたとき、その状況をテレビや携帯電話等の表示端末装置で検査完了までの残時間あるいは検査が完了する予定時刻などの情報として表示することで、外出から帰宅されたとき等、漏洩検査中であることを知らせることができ、器具の使用を差し控えてもらうことも可能となり、器具使用に伴う検査の中断等のトラブルを低減することができる。
【００２５】
第６の発明は、漏洩確認動作が実施され流量ありが確認されたとき、流量なし状態への待機状態であることを表示端末装置に表示するようにしたことを特徴とするものである。
【００２６】
そして、漏洩確認動作の開始において外出から帰宅して器具使用等により流量ありが確認されたときは器具の使用が停止されるまで待機状態とし、その状況をテレビや携帯電話等の表示端末装置で表示することで、漏洩検査モードに入っていることを需要家に知らせることができ、器具の使用を差し控えてもらうことも可能となり、器具使用に伴う検査の中断等のトラブルを低減することができる。
【００２７】
第７の発明は、漏洩確認動作の実施中に急激なガス圧変化が確認されたとき、遮断弁を開状態に復帰して漏洩確認動作を中断すると共に、中断状態であることを表示端末装置に表示するようにしたことを特徴とするものである。
【００２８】
そして、漏洩検査の実施中にガス圧検出手段で検出されるガス圧が急激に減少方向に変化したとき外出から帰宅してガス器具が使用されたと判断して、遮断弁を開状態に復帰させてガスの供給を開始して漏洩検査を中断しガス器具の使用を優先させると共に、その状況をテレビや携帯電話等の表示端末装置で表示することで、漏洩検査中であったことを需要家に知らせることができ、器具の使用を最小限に抑えてもらうことも可能となり、器具使用に伴う検査の中断等のトラブルを低減することができる。
【００２９】
第８の発明は、漏洩検査結果を基地局に通報し復帰許可指令を受信すると、遮断弁を開状態に復帰してガスの供給動作を可能にすると共に、漏洩検査結果で問題がなく正常に復帰したことを表示端末装置に表示するようにしたことを特徴とするものである。
【００３０】
そして、漏洩検査が完了するとその結果を基地局に送信し、異常がない場合基地局から送信される復帰許可指令に基づいて遮断弁を開状態に復帰させてガスの供給を開始すると共に、その状況をテレビや携帯電話等の表示端末装置で表示することで、需要家に対してガス漏れ等の異常がなく検査が完了したことを報知することができる。
【００３１】
第９の発明は、漏洩検査結果を基地局に通報し復帰禁止指令を受信すると、遮断弁を遮断状態に保持してガスの供給動作を不可にすると共に、漏洩検査結果で問題が発生し修理が必要であることを表示端末装置に表示するようにしたことを特徴とするものである。
【００３２】
そして、漏洩検査が完了するとその結果を基地局に送信し、異常がある場合基地局から送信される復帰禁止指令に基づいて遮断弁を閉状態に保持してガスの供給を停止すると共に、その状況をテレビや携帯電話等の表示端末装置で表示することで、需要家に対して修理が必要であること、修理完了までガスの供給が停止されることを報知することができるため、検査完了に伴うトラブルを低減することができる。
【００３３】
第１０の発明は、表示端末装置はテレビあるいは携帯電話とし、ガス遮断装置に内蔵の無線モジュールと同一の通信周波数帯を有する無線モジュールを内蔵あるいは一体的に取り付けたことを特徴とするものである。
【００３４】
そして、ガスメータに内蔵の無線モジュールと同一の通信周波数帯を有する無線モジュールをテレビあるいは携帯電話に設けることで、ガスメータから送信される各種表示情報をテレビあるいは携帯電話の表示部で表示することができ、外出から帰宅した場合に対応して、その時の状況をリアルタイムで需要家に伝達することができ、漏洩検査に関連するトラブルを低減することができる。
【００３５】
以下、本発明の実施の形態について、図面を参照しながら説明する。なお、この実施の形態によって本発明が限定されるものではない。
【００３６】
（実施の形態１）
図１は本発明の実施の形態１におけるガスメータと基地局及び需要家宅との通信形態の全体構成図、図２は同ガス器具監視装置における各種警報器との通信形態を示す図、図３は同ガス器具監視装置におけるセキュリティ情報の処理制御ブロック、図４は同ガス器具監視装置におけるガスメータの外観及び構成部品を示す図、図５は同ガスメータの内部構成図、図６は同ガスメータの制御回路基板の構成ブロック図である。
【００３７】
図１において、まずガスメータ２を経由した後の配管に接続される複数のガス器具及びガスメータ２が保有する通信機能について説明する。
【００３８】
各家庭のガス供給管１の入口部分にガスメータ２が設置され、このガスメータ２を経由した後のガス配管３から分岐して家庭で使用する種々のガス器具が設置された場所まで配管されガスが供給される。例えば、屋外にはガス給湯器４が設置され、このガス給湯器４で生成される湯が水配管を介して台所の給湯栓５、浴槽やシャワー装置が設置された風呂６、リビング等に設置された床暖房７に供給され、種々の使用形態を形成している。
【００３９】
また、屋内にあっては、台所に設置されたガステーブル８、リビングや寝室等に設置されたガスファンヒータ９にガスが供給され、必要に応じて適宜使用される。
【００４０】
そして、設置されたガス器具が使用されガスの消費が発生するとガスメータ２でその使用量が計測され、そのデータが所定期間毎に累積記憶されている。このガスメータ２に記憶されたデータはガス事業者１５からの定期的なデータ要求指令に基づいて所定の情報処理を行った後、ガス料金やガス使用量あるいはガス事業者１５が提供する割引サービス等の情報として需要家１３及びガス事業者１５に送信される。
【００４１】
この送信手段としては、図４に示すようにガスメータ２に内蔵された制御装置を構成する制御回路基板１０に一体的に組み込まれた無線モジュール１１を用いて行い、この無線モジュール１１はコネクタ１０ｄで着脱自在に制御回路基板１０にオンボードされ、無線モジュール１１を搭載せず通信機能を有しないガスメータと無線モジュール１１を搭載した通信機能を有するガスメータを任意に選択できる構成とし、ガスメータ２の共通化を図り、通信機能の有無に関係なく使用できるようにしている。
【００４２】
また、無線モジュール１１を着脱自在な構成とすることで、通信機能を有する場合であっても通信規格を取得した無線モジュールを搭載すれば、ガスメータ本体で通信機としての規格を取得する必要がなく、ガスメータを変更する場合等において規制を受けることなく比較的自由に変更が可能となる。
【００４３】
そして、図６に示すように無線モジュール１１は、基地局１４と通信するために電話回線とは異なる、例えば２００ＭＨｚや他の通信周波数帯を有し複数の通信チャンネルを有する広域通信無線モジュール１１ａと、需要家宅１３内のテレビ１２ａ、パソコンあるいは携帯電話１２ｂ等の特定の端末装置１２、あるいは家庭内に設置された各種警報器に接続し家庭内で発生する各種セキュリティ情報を一括管理するホームセキュリティ装置と通信するために、例えば４２９ＭＨｚ等の特定小電力無線通信周波数帯を有するエリア通信無線モジュール１１ｂで構成し、流量信号やセンサ信号に基づいてガス使用量の算出あるいは地震、ガス漏れ等の異常検知を行う制御回路１０ａからのデータ、さらには基地局１４を介してガス事業者１５から送信される各種情報、さらにはホームセキュリティ装置から送信される各種情報、受信すると、その受信データに応じて、例えばガス料金、ガス使用量あるいは地震、ガス漏れ等の異常発生に伴うガス遮断弁の作動、さらにはセキュリティ情報に応じた各種処理等、需要家に報知すべき内容の場合はエリア通信無線モジュール１１ｂを用いて需要家宅１３内のテレビ１２ａあるいは携帯電話１２ｂ等の特定の端末装置１２にデータを送信し、ホームセキュリティ装置からセキュリティ情報が送信された場合はその情報を受信し制御回路１０ａに入力する。
【００４４】
そして、図７に示すように特定の端末装置１２にもガスメータ２に内蔵してあるエリア通信無線モジュール１１ｂと同一の通信周波数帯を有する無線モジュール１１ｃを内蔵あるいは一体的に取り付けることで、ガスメータ２から送信されるデータを受信することができ、このデータをテレビ１２ａあるいは携帯電話１２ｂの画面を通じて表示することで、ガスメータから直接需要家に対して情報の伝達を行うことができ、従来のように、ガスメータ２からガス事業者１５にデータを送信し、ガス事業者１５でデータ処理を行った情報、例えば料金通知等の葉書を郵送等で需要家に送付するという情報伝達方法を採用する必要がなくなるため、通知作業に要する工数を削減でき、かつ通知用葉書等の郵送費用の発生もなくなり、通知業務の合理化を実現することでガス料金の低減に寄与するものである。
【００４５】
また、ガスメータ２から特定の端末装置１２に各種情報を送信した場合は、エリア通信無線モジュール１１ｂから広域通信無線モジュール１１ａに報知完了信号を送り、広域通信無線モジュール１１ａはこの報知完了信号を基地局１４に送信し、ガス事業者１５に需要家への情報伝達が完了したことを通知する。なお、この場合、特定の端末装置１２からの応答信号を受信して報知完了信号を送信することが好ましく、より確実に需要家への情報伝達を行うことができ、合理的な情報伝達システムを構築することができる。
【００４６】
また、図２に示すようにホームセキュリティ装置２５にも同様にガスメータ２に内蔵してあるエリア通信無線モジュール１１ｂと同一の通信周波数帯を有するセキュリティ無線モジュール１１ｄを内蔵あるいは一体的に取り付けることで、各種警報器からのセキュリティ情報をガスメータ２に内蔵のエリア通信無線モジュール１１ｂに送信することができ、ガスメータ２の制御回路１０ａでセキュリティ情報に応じて予め定めた処理を実行することができ、ガスメータ２の遮断機能を用いて保安を確保しつつ、情報中継器として活用することができる。さらに、ホームセキュリティ装置２５には外出等で不在するときに不在信号を出力する不在登録手段２７を有し、この不在登録手段２７を操作すると不在信号がセキュリティ無線モジュール１１ｄよりガスメータ２に内蔵のエリア通信無線モジュール１１ｂに送信され、ガスメータ２の制御回路１０ａで予め定められた不在信号受信時の
処理モードを実行するようにしている。
【００４７】
次に、ガスメータ２の基本機能である制御回路１０ａに内蔵されたガス流量を計測し所定の処理を行って流量情報として出力する流量計測処理手段について簡単に説明すると、ガスメータ２には図４、図５に示すように、ガス入口２ａとガス出口２ｂを有し、その間のガス流路内に異常時にガスを遮断する遮断弁２ｃとガス流量を計測する一対の超音波センサ１７が設けられ、その下流側にガス圧を検出する圧力センサ２ｄが配置されている。また、超音波センサ１７からの信号でガス流量を算出する制御回路１０ａを搭載した制御回路基板１０がガスメータ２の表示部２ｅに液晶表示器１０ｅを臨ますように配置され、さらに、制御回路１０ａを駆動させるための電池２ｆが収納されている。また、遮断弁２ｃが作動した後の復帰動作を手動で行う手段として復帰ボタン２ｇが配置されている。
【００４８】
そして、ガス流量を計測する流量計測部１７と制御回路１０ａは、例えば図９に示すように、ガス流路に一対の超音波センサを配置し流路を流れる流量に応じて変化する伝播時間を計測することで流量を測定するものがある。以下、その構成を説明すると、超音波を送信または受信する第１送受信器１７Ａと受信または送信する第２送受信器１７Ｂが流れ方向に配置され、制御回路１０ａを構成する切換手段を有する計測制御部１８によって送受信の切り換えが可能になっており、ガス等の流体の流れ状態を検出している。この第１送受信器１７Ａと第２送受信器１７Ｂの信号を処理して流量を計測するもので、具体的には、まず計測制御部１８により第１送受信器１７Ａを駆動し、第２送受信器１７Ｂに向け、すなわち上流から下流に超音波を送信する。そして第２送受信器１７Ｂで受信した信号を計測制御部１８に設けた増幅手段により増幅し、この増幅された信号は基準信号と比較され、基準信号以上の信号が検出された後、計測制御部１８に設けた繰り返し手段により上記の送受信を所定の回数を繰り返し、それぞれの時間値を計測制御部１８に設けたタイマカウンタのような計時手段で計測する。
【００４９】
次に、切換手段を有する計測制御部１８で第１送受信器１７Ａと第２送受信器１７Ｂの送受信を切換えて、第２送受信器１７Ｂから第１送受信器１７Ａ、すなわち下流から上流に向かって超音波信号を送信し、この送信を前述のように繰り返し、それぞれの時間値を計測する。そして、第１送受信器１７Ａと第２送受信器１７Ｂとの超音波の伝搬時間差から流路１６の大きさや流体の流れ状態を考慮して信号処理手段１９で流量値を求める。求められた流量データは情報記憶手段１０ｂで累積され、所定期間毎の累積データとして記憶される。
【００５０】
また、流量計測部１７が配置された流路１６内には異常時等にガスの流れを遮断する遮断弁２ｃが設けられ、信号処理手段１９で求められる流量値が異常に多い場合や通常考えられる使用時間を超えて流量値が検出されるような場合に異常と判断して遮断弁２ｃを作動させてガス流路１６を遮断する。
【００５１】
また、感震装置２１から地震や衝撃信号、圧力センサ２ｄから異常なガス圧の信号が入力されると、制御回路１０ａを介して遮断弁２ｃを作動させてガス流路１６を遮断すると共に、センターに通報する。
【００５２】
次に、ガスメータ２に内蔵した無線モジュール１１を用いた情報伝達の一例を説明すると、まずガス事業者１５からの検針指示が基地局１４を介して広域通信周波数帯（例えば、２００ＭＨｚ）で送信された場合、ガスメータ２に内蔵してある広域通信無線モジュール１１ａが受信し、その検針指示情報が同一基板に搭載してある制御回路１０ａに送られる。制御回路１０ａには流量計測手段で計測された流量データが所定期間毎に累積され、その累積データ、あるいは料金データに変換した情報が情報記憶手段１０ｂに記憶されており、ガス事業者１５からの検針指示情報が入力されると制御回路１０ａは情報記憶手段
１０ｂの流量累積データ、あるいは料金データに変換した情報を通信切替手段１０ｃを介してエリア通信無線モジュール１１ｂ及び広域通信無線モジュール１１ａに送り、広域通信無線モジュール１１ａは広域通信周波数帯（例えば、２００ＭＨｚ）で基地局１４に送信し、基地局１４から専用回線を用いてガス事業者１５に検針情報が伝達される。また、エリア通信無線モジュール１１ｂは特定小電力無線通信周波数帯（例えば、４２９ＭＨｚ）でテレビ１２ａ等の特定の端末装置１２に一体的に取り付けた無線モジュール１１ｃに送信し、画面上に例えば、図８（ａ）に示すような料金情報や使用量を表示する。そして、特定端末装置１２への送信が完了すると、上記した如く、報知完了信号をガス事業者１５に送信し、需要家への情報伝達が完了したことを通知する。
【００５３】
また、地震や衝撃等で遮断弁２ｃが作動した場合において原因究明がなされ、ガス事業者１５からの復帰指示が基地局１４を介して広域通信周波数帯（例えば、２００ＭＨｚ）で送信された場合、ガスメータ２に内蔵してある広域通信無線モジュール１１ａが受信し、その復帰指示情報が同一基板に搭載してある制御回路１０ａに送られる。制御回路１０ａは復帰指示情報が入力されると、情報記憶手段１０ｂに記憶されている復帰作業に関する情報を通信切替手段１０ｃを介してエリア通信無線モジュール１１ｂに送り、エリア通信無線モジュール１１ｂは特定小電力無線通信周波数帯（例えば、４２９ＭＨｚ）でテレビ１２ａ等の表示端末装置１２に一体的に取り付けた無線モジュール１１ｃに送信し、画面上に例えば、図８（ｂ）に示すような復帰作業の手順を表示する。そして、表示端末装置１２への送信が完了すると、上記した如く、報知完了信号をガス事業者１５に送信し、需要家への情報伝達が完了したことを通知する。
【００５４】
以上のように、制御回路１０ａには伝達する情報に応じて通信する相手先に対応して通信周波数帯の異なる無線モジュールを選択すべく通信切替手段１０ｃを有しており、例えば、ガス事業者１５からの検針指令の場合は、広域通信無線モジュール１１ａで受信した情報によりガス事業者１５と特定端末装置１２に情報記憶手段１０ｂの記憶情報を伝達する必要があり、この場合は、例えば２００ＭＨｚの通信周波数帯を有する広域通信無線モジュール１１ａと、例えば４２９ＭＨｚの特定小電力無線通信周波数帯を有するエリア通信無線モジュール１１ｂを選択し、ガス事業者１５からの復帰指示の場合は、表示端末装置１２に情報記憶手段１０ｂの記憶情報を伝達するだけでよく、この場合は、例えば４２９ＭＨｚの特定小電力無線通信周波数帯を有するエリア通信無線モジュール１１ｂを選択すればよい。
【００５５】
なお、広域通信無線モジュール１１ａとエリア通信無線モジュール１１ｂはそれぞれ別々に設けてもよく、共通の無線モジュールとし通信周波数帯を広域通信周波数帯と特定小電力無線通信周波数帯で切替えるようにしてもよいもので、前者の場合、通信切替手段１０ｃは広域通信無線モジュール１１ａとエリア通信無線モジュール１１ｂを選択する必要があり、同時通信が可能というメリットがある反面、設置スペース大やコスト高というデメリットを有している。後者の場合、通信切替手段１０ｃは通信相手先に応じて通信周波数帯を切替える必要があり、設置スペース小やコスト安というメリットがある反面、同時通信ができず交互通信になるというデメリットを有している。
【００５６】
次に、以上のような通信機能を有するガスメータにおいて、家庭内に設置されている複数の警報器、例えば火災報知器２２、ＣＯ検知器２３、侵入検知器２４に接続し、家庭内で発生する各種セキュリティ情報を一括管理するホームセキュリティ装置２５に内蔵されたセキュリティ無線モジュール１１ｄから、各種警報器で検出されるセキュリティ情報を区別するための識別コードを付与してガスメータ２のエリア通信無線モジュール１１ｂに送信される。このセキュリティ情報に対応したガスメータ２の処理内容について具体的に説明する。
【００５７】
図３に示すように、ホームセキュリティ装置２５に内蔵のセキュリティ無線モジュール１１ｄからガスメータ２に内蔵のエリア通信無線モジュール１１ｂに識別コード付セキュリティ情報が送信されると、制御回路１０ａに設けられた識別判別コード１０ｆでセキュリティ情報の種類が判別され、グループ選別手段１０ｇでセキュリティ情報の対応として、例えばガス遮断弁２ｃの遮断機能を伴う第１グループ１０ｋに属するセキュリティ情報か、ガスメータ２の機能に関係ない第２グループ１０ｍに属するセキュリティ情報か、さらに不在登録手段２７の操作で不在信号が出力された第３グループ１０ｎに属するセキュリティ情報かを選別する。
【００５８】
そして、各種セキュリティ情報に対応した処理を予め設定してある警報処理モード設定手段１０ｊからグループ選別手段１０ｇで選別されたセキュリティ情報に対応する処理モードを選択して処理モード実行手段１０ｈで処理を実行する。例えば、識別コード判別手段１０ｆで火災報知器２２で検知したセキュリティ情報と判別された場合は、グループ選別手段１０ｇでガス遮断弁２ｃの遮断動作が必要であると判断して第１グループ１０ｋに属するセキュリティ情報として登録し、警報処理モード設定手段１０ｊで定めたガス遮断弁２ｃの遮断動作とガス事業者１５への通報処理を処理モード実行手段１０ｈで実行する。
【００５９】
また、識別コード判別手段１０ｆで侵入検知器２４で検知したセキュリティ情報と判別された場合は、グループ選別手段１０ｇでガスメータ２の遮断機能を必要としない第２グループ１０ｍに属するセキュリティ情報として登録し、警報処理モード設定手段１０ｊで定めた警備会社２６への通報処理を処理モード実行手段１０ｈで実行する。
【００６０】
そして、処理モード実行手段１０ｈで実行される通報処理において、セキュリティ情報に応じて通報先を変更しなければいけないような場合は通信チャンネル選択手段１０ｉで必要な相手先の通信チャンネル、つまり通信周波数帯を選択して広域通信無線モジュール１１ａを用いて、例えばガス事業者１５や警備会社２６に対して通信する。
【００６１】
また、ガス事業者１５から定期的な漏洩検査指令が基地局１４を介して発信されると、広域通信無線モジュール１１ａが受信し検査指令判定手段１０ｐで判定され、不在信号確認手段10ｑに入力される。不在信号確認手段10ｑは、エリア通信無線モジュール１１ｂで受信したセキュリティ情報の中にグループ選別手段１０ｇで選別された第３グループ１０ｎに属するセキュリティ情報、つまり外出時不在信号があるか否かを監視し、不在信号を検出すると漏洩検査手段１０ｒで所定の漏洩検査モードを実行する。
【００６２】
漏洩検査モードに入ると、まず流量計測手段１７によりガス流路１６内にガスの流れが存在するか否かを計測する。不在信号が出力されているにもかかわらず流量計測手段１７により流量ありが検出された場合はガス器具が使用されていると判断して、ガス器具の使用が停止され流量なしが検出されるまで待機モードとして漏洩確認動作を一時中断する。
【００６３】
そして、流量なしが検出されるとガス遮断弁２ｃを強制的に遮断してガス遮断弁２ｃの下流側に設けたガス圧検出手段である圧力センサ２ｄで検出されるガス流路１６内のガス圧を制御回路１０ａに設けた漏洩判断手段２８で監視し、所定期間内のガス圧変化が所定の範囲を超えて低下する場合にガス漏れが有りと判断してガス遮断弁２ｃの復帰動作を禁止する。また、所定期間内のガス圧変化が所定の範囲内の場合はガス漏れ無しと判断してガス遮断弁２ｃの復帰動作を行う。この場合の復帰動作はガス事業者１５から送信される復帰許可信号で自動的に復帰動作を行う構成とすることが、不在時のガス使用がないときに行う自動漏洩検査としては望ましい。
【００６４】
また、本実施の形態では、漏洩確認動作が開始されると、ガスメータ２に内蔵のエリア
通信無線モジュール１１ｂを用いてテレビ１２ａや携帯電話１２ｂ等の表示端末装置１２にその経過情報を表示するようにしており、例えば図１０（ｂ）に示すように、「ガス漏れ検査実施中です」「あと、○○分で完了します」というメッセージと共に、残時間をビジュアルに表示することで、外出から帰宅したときにガスの漏洩検査をしていることを知らせることができる。なお、経過情報の表示形態としては上記に限定されるものではなく、完了予定時刻を表示してもよく、単に検査中であることだけを表示するようにしてもよい。
【００６５】
また、他の表示形態としては、不在信号を出力した後に外出を取りやめた場合等、漏洩確認動作が実施され流量ありが確認されたとき、流量なし状態への待機状態であることを表示端末装置１２に表示するようにしてもよく、これにより需要家に検査開始段階であることを通知し、需要家に対して器具の使用を差し控えてもらうことが可能となり、器具使用に伴う検査の中断等のトラブルを抑制することができる。
【００６６】
また、上記漏洩確認動作中に圧力センサ２ｄが急激な低下方向の圧力変化を検出したときは、外出から帰宅して器具栓が開放され使用開始状態にあると判断して、ガス遮断弁２ｃを開放状態にしてガスの供給動作を開始し、漏洩確認動作を一時的に中断する。そして、このときも表示端末装置１２の画面上に漏洩確認動作を一時中断したことを表示するようにし、これにより需要家に検査中であることを通知し、器具の使用を最小限に抑えてもらうことが可能となり、器具使用に伴う検査の中断等のトラブルを抑制することができる。
【００６７】
そして、上記漏洩検査結果は広域通信無線モジュール１１ａを用いて基地局１４に送信され、ガス事業者１５はこの漏洩検査結果より異常がないと判断した場合は復帰許可指令を送信し、広域通信無線モジュール１１ａがこの指令を受信すると、制御回路１０ａはガス遮断弁２ｃを開状態に復帰してガスの供給を開始すると共に、通信切替手段１０ｃによりエリア通信無線モジュール１１ｂを用いて、図１０（ａ）に示すように、テレビ１２ａ等の表示端末装置１２に検査完了信号を送って、画面上に検査が完了したこと、異常がなかったことを表示する。
【００６８】
また、上記検査結果において異常があると判断された場合は復帰禁止指令を送信し、広域通信無線モジュール１１ａがこの指令を受信すると、制御回路１０ａはガス遮断弁２ｃを閉状態に保持してガスの供給を停止すると共に、通信切替手段１０ｃによりエリア通信無線モジュール１１ｂを用いてテレビ１２ａ等の表示端末装置１２に検査異常信号を送って、画面上にガス漏れが確認されたこと、修理が必要なこと、ガス供給ができないこと等を表示するようにしている。
【００６９】
以上のように本実施の形態によれば、電話回線以外の無線通信手段を用いて通信チャンネルを選択して基地局との通信が可能な無線モジュールと、ホームセキュリティ装置からのセキュリティ情報を受信可能な無線モジュールとを、ガスメータ内の計測機能及び遮断機能を有した制御回路基板に一体的に組み込んだ形態としているため、ガスメータを設置するだけで基地局と電話回線を用いることなく通信が可能となり、回線の混雑状況に影響を受けず基地局との通信をスムーズに行うことができ、ガスメータで取得した各種器具情報を基地局に迅速かつ的確に伝えることができ、また基地局からの指示に基づく各種処理を的確に実施することができる。
【００７０】
さらに、基地局から漏洩検査指令が送信されたとき、ホームセキュリティ装置からの不在信号を監視し不在信号を検知すると、ガスの使用が発生しない環境になったと判断して、所定の漏洩確認動作を実施するようにしたもので、需要家が外出等で不在のときにガス遮断弁の作動を伴う漏洩検査を実施するため、ガスの供給停止に関わるトラブルをなくす
ことができ、かつホームセキュリティ装置からのセキュリティ信号で自動的に漏洩検査を行うことができるため、ガス事業者が需要家宅に出向いて検査を行う必要がなくなり、検査の省力化も図ることができ、ガスメータ自体が情報を取得し、判断し、検査を実行するセルフチェック機能を有したガス器具監視装置を提供することができる。
【００７１】
また、基地局とキャリアダイレクトで通信可能な広域通信無線モジュールと、特定小電力無線通信周波数帯を用いて所定の範囲内で通信可能なエリア通信無線モジュールを制御回路基板と一体的に構成し、基地局と電話回線以外の通信回線で情報の伝達を行い、ホームセキュリティ装置と特定小電力無線通信周波数帯で情報の伝達を行うようにしているため、家庭内で発生するセキュリティ情報をリアルタイムにかつ確実に取得することができ、この取得情報に基づくメータ独自の流量計測機能及び遮断機能による自動漏洩検査や保安確保及び取得情報に応じた通報先への情報伝達を的確に行うことができ、流量計測機能及び遮断機能を有するガスメータを情報中継器として利用することで、家庭内における保安機能の充実や定期的な漏洩検査の実施を合理的に行うことができるとともに、セキュリティシステムの普及を促進することができる。
【００７２】
また、基地局からの漏洩検査指令を広域通信無線モジュールで受信したあと、ホームセキュリティ装置からの外出不在信号をエリア通信無線モジュールで受信すると、漏洩検査モードに入って流量なしの状態が検出されたとき漏洩確認動作を実施するようにしたもので、ガス事業者が実施する定期的な漏洩検査を、ガスメータに検査指令を送信するだけでガスメータ自体が検査可能な状況を判断するための情報を取得し、判断し、検査を実行するセルフチェック機能を有するものとなり、検査の省力化に大きく貢献することができるものである。
【００７３】
また、ガスメータに内蔵したエリア通信無線モジュールを用いてテレビや携帯電話等の特定端末装置とも通信できるようにすることで、自動的に実施される漏洩確認検査の情報を送信することが可能となり、テレビや携帯電話の画面上に検査状況、検査結果を表示することができ、需要家への報知義務をこれまた自動的にかつリアルタイムに果たすことが可能となる。
【００７４】
また、漏洩検査が実施されたとき、その状況をテレビや携帯電話等の表示端末装置で検査完了までの残時間あるいは検査が完了する予定時刻などの情報として表示することで、外出から帰宅されたとき等、漏洩検査中であることを知らせることができ、器具の使用を差し控えてもらうことも可能となり、器具使用に伴う検査の中断等のトラブルを低減することができる。
【００７５】
また、漏洩確認動作の開始において外出から帰宅して器具使用等により流量ありが確認されたときは器具の使用が停止されるまで待機状態とし、その状況をテレビや携帯電話等の表示端末装置で表示することで、漏洩検査モードに入っていることを需要家に知らせることができ、器具の使用を差し控えてもらうことも可能となり、器具使用に伴う検査の中断等のトラブルを低減することができる。
【００７６】
また、漏洩検査の実施中にガス圧検出手段で検出されるガス圧が急激に減少方向に変化したとき外出から帰宅してガス器具が使用されたと判断して、遮断弁を開状態に復帰させてガスの供給を開始して漏洩検査を中断しガス器具の使用を優先させると共に、その状況をテレビや携帯電話等の表示端末装置で表示することで、漏洩検査中であったことを需要家に知らせることができ、器具の使用を最小限に抑えてもらうことも可能となり、器具使用に伴う検査の中断等のトラブルを低減することができる。
【００７７】
また、漏洩検査が完了するとその結果を基地局に送信し、異常がない場合基地局から送
信される復帰許可指令に基づいて遮断弁を開状態に復帰させてガスの供給を開始すると共に、その状況をテレビや携帯電話等の表示端末装置で表示することで、需要家に対してガス漏れ等の異常がなく検査が完了したことを報知することができる。
【００７８】
また、漏洩検査が完了するとその結果を基地局に送信し、異常がある場合基地局から送信される復帰禁止指令に基づいて遮断弁を閉状態に保持してガスの供給を停止すると共に、その状況をテレビや携帯電話等の表示端末装置で表示することで、需要家に対して修理が必要であること、修理完了までガスの供給が停止されることを報知することができるため、検査完了に伴うトラブルを低減することができる。
【００７９】
また、ガスメータに内蔵の無線モジュールと同一の通信周波数帯を有する無線モジュールをテレビあるいは携帯電話に設けることで、ガスメータから送信される各種表示情報をテレビあるいは携帯電話の表示部で表示することができ、外出から帰宅した場合に対応して、その時の状況をリアルタイムで需要家に伝達することができ、漏洩検査に関連するトラブルを低減することができる。
【産業上の利用可能性】
【００８０】
本発明のガス器具監視装置によれば、セキュリティ情報として不在信号が確認できたとき漏洩検査を開始するようにしたもので、ガスの使用が発生しない環境を確実に検知することが可能となり、ガス漏れ自動検査における需要家とのトラブルを回避でき、定期検査を伴う各種メータにも適用することができる。
【図面の簡単な説明】
【００８１】
【図１】本発明の実施の形態１におけるガス器具監視装置の通信形態を示す構成図
【図２】同ガス器具監視装置における各種警報器との通信形態を示す図
【図３】同ガス器具監視装置におけるセキュリティ情報の処理制御ブロック図
【図４】同ガス器具監視装置におけるガスメータの外観及び構成部品を示す図
【図５】同ガスメータの内部構成図
【図６】同ガスメータの制御回路基板の構成ブロック図
【図７】同ガス器具監視装置と特定端末装置の通信形態を示す図
【図８】（ａ）同特定端末装置における料金情報表示形態を示す図（ｂ）同特定端末装置における復帰情報表示形態を示す図
【図９】同ガス器具監視装置の制御回路の構成ブロック図
【図１０】（ａ）同表示端末装置における漏洩検査情報表示形態を示す図（ｂ）同表示端末装置における別の漏洩検査情報表示形態を示す図
【符号の説明】
【００８２】
２  ガスメータ
２ｃ  ガス遮断弁
１０  制御回路基板
１０ａ  制御回路
１０ｂ  情報記憶手段
１０ｃ  通信切替手段
１０ｆ  識別コード判別手段
１０ｇ  グループ選別手段
１０ｈ  処理モード実行手段
１０ｉ  通信チャンネル選択手段
１０ｊ  警報処理モード設定手段
１０Ｐ  検査指令判定手段
１０ｑ  不在信号確認手段
１０ｒ  漏洩検査実行手段
１１  無線モジュール
１１ａ  広域通信無線モジュール
１１ｂ、１１ｃ、１１ｄ  エリア通信無線モジュール
１２  特定端末装置
１２ａ  テレビ
１２ｂ  携帯電話
１４  基地局
１５  ガス事業者
１７  流量計測手段（流量計測処理手段）
２５  ホームセキュリティ装置
２７  不在信号登録手段
【図６】
2008134780.tif 000003
【図１】
2008134780.tif 000004
【図２】
2008134780.tif 000005
【図３】
2008134780.tif 000006
【図４】
2008134780.tif 000007
【図５】
2008134780.tif 000008
【図７】
2008134780.tif 000009
【図８】
2008134780.tif 000010
【図９】
2008134780.tif 000011
【図１０】
2008134780.tif 000012